(57)【要約】      （修正有）【課題】梱包機械を購入するまでもなく、縛る作業を簡単に行うことができ、しかもワンタッチで梱包を解除することが可能であって、縛る作業を行った後は取っ手として利用することができる縛り取っ手リングを提供しようとするものである。【解決手段】太い鋼線をほぼ長方形に巻いて手指を挿入可能な挿入口を形成した取っ手本体を備え、取っ手本体の長手方向の一方の端部には結束用ひもの一端を緊結し、取っ手本体の長手方向の他方の端部には結束用ひもの他端を緊結するようにした縛り取っ手リングであって、取っ手本体の長手方向の他方の端部に結束用ひもの他端を緊結するに際し、ひもの先端を取っ手本体の挿入口に通したときに取っ手本体に巻き付けた二つ折りのひもを指先で堅く掴むことができ、ひもにその先端を通せるループを容易に作れるようにしたことを特徴とする。【選択図】図２
0003146039.tif 000002
【実用新案登録請求の範囲】
【請求項１】
太い鋼線をほぼ長方形に巻いて手指を挿入可能な挿入口を形成した取っ手本体を備え、
取っ手本体の長手方向の一方の端部には結束用ひもの一端を緊結し、
取っ手本体の長手方向の他方の端部には結束用ひもの他端を緊結するようにした縛り取っ手リングであって、
取っ手本体の長手方向の他方の端部に結束用ひもの他端を緊結するに際し、ひもの先端を取っ手本体の挿入口に通したときに取っ手本体に巻き付けた二つ折りのひもを指先で堅く掴むことができ、ひもにその先端を通せるループを容易に作れるようにしたことを特徴とする縛り取っ手リング。
【請求項２】
前記太い鋼線をほぼ長方形に巻いて手指を挿入可能な挿入口を形成した取っ手本体が、１方の長辺側を太い鋼線を二重となるよう形成したことを特徴とする請求項１記載の縛り取っ手リング。
【請求項３】
前記太い鋼線をほぼ長方形に巻いて手指を挿入可能な挿入口を形成した取っ手本体が、長方形の挿入口の両側のＲを、指の太さよりひと回り大きくしたことを特徴とする請求項１または２記載の縛り取っ手リング。
【請求項４】
前記太い鋼線をほぼ長方形に巻いて手指を挿入可能な挿入口を形成した取っ手本体が、前記鋼線として＃１０番以上の太さとしたことを特徴とする請求項１ないし３のいずれかに記載の縛り取っ手リング。
【考案の詳細な説明】
【技術分野】
【０００１】
この考案は、種々の商品を収納したダンボール箱等の梱包に際して使用する取っ手に関し、梱包作業において結束用ひもを簡単かつ確実に結ぶことができる縛り取っ手リングに係るものである。
【背景技術】
【０００２】
従来、この種のダンボール箱等の梱包作業においては、プラスチック製のバンドを目型の締め具や専用の梱包機械、あるいは大型の梱包機械を使って梱包しているものや、機械を使わない手作業での梱包作業が一般的に行われている。
【０００３】
しかし、単純なリング状の器具を使った手作業での梱包作業はあまり見られない。
ちなみに、実開昭５３−５７０８５号公報（特許文献１参照）には、取っ手となる円弧状本体の両側に一対の弧状端部を形成し、該一対の弧状端部の内側を互に相対させた荷造用具が提案されている。
【特許文献１】実開昭５３−５７０８５号公報
【考案の開示】
【考案が解決しようとする課題】
【０００４】
前記従来の技術で述べたもののうち後者の機械を使わない手作業では、
１．しっかり梱包することが難しい。
２．しっかり梱包すれば持ちずらい。
３．梱包の解除がワンタッチではしずらい。
４．梱包を解除すれば、そのひもは現状より小さい荷物にしか使えない。
等という問題点を有している。
【０００５】
また、実開昭５３−５７０８５号公報（特許文献１参照）の荷造用具においては、図４に示すように、取っ手となる円弧状本体１０１の両側に一対の弧状端部１０２を形成し、該一対の弧状端部１０２の内側を互に相対させているので、結束用ひも１０３の他端を緊結するに際し、ひも１０３の先端を取っ手となる円弧状本体１０１の弧状端部１０２に通したときに取っ手となる円弧状本体１０１に巻き付けた二つ折りのひも１０３を指先で堅く掴むことが難しく、ひも１０３にその先端を通せるループを作りにくいために、梱包作業に手間がかかりすぎるという問題点があった
【０００６】
この考案は、従来技術の以上のような問題点に鑑みてなされたものであり、その目的とするところは、梱包機械を購入するまでもなく、縛る作業を簡単に行うことができ、しかもワンタッチで梱包を解除することが可能であって、縛る作業を行った後は取っ手として利用することができる縛り取っ手リングを提供しようとするものである。
【課題を解決するための手段】
【０００７】
すなわち、この考案の縛り取っ手リングは、太い鋼線をほぼ長方形に巻いて手指を挿入可能な挿入口を形成した取っ手本体を備え、
取っ手本体の長手方向の一方の端部には結束用ひもの一端を緊結し、
取っ手本体の長手方向の他方の端部には結束用ひもの他端を緊結するようにした縛り取っ手リングであって、
取っ手本体の長手方向の他方の端部に結束用ひもの他端を緊結するに際し、ひもの先端を取っ手本体の挿入口に通したときに取っ手本体に巻き付けた二つ折りのひもを指先で堅く掴むことができ、ひもにその先端を通せるループを容易に作れるようにしたことを特徴とするものである。
【０００８】
この考案の縛り取っ手リングは、前記太い鋼線をほぼ長方形に巻いて手指を挿入可能な挿入口を形成した取っ手本体が、１方の長辺側を太い鋼線を二重となるよう形成したことをも特徴とするものである。
【０００９】
この考案の縛り取っ手リングは、前記太い鋼線をほぼ長方形に巻いて手指を挿入可能な挿入口を形成した取っ手本体が、長方形の挿入口の両側のＲを、指の太さよりひと回り大きくしたことをも特徴とするものである。
【００１０】
この考案の縛り取っ手リングは、前記太い鋼線をほぼ長方形に巻いて手指を挿入可能な挿入口を形成した取っ手本体が、前記鋼線として＃１０番以上の太さとしたことをも特徴とするものである。
【考案の効果】
【００１１】
この考案は以上のように構成したので、梱包機械を購入するまでもなく、縛る作業を簡単に行うことができ、しかもワンタッチで梱包を解除することが可能な縛り取っ手リングを提供することが可能となった。
また、この考案の縛り取っ手リングにおいては、段ボール箱等を結束用ひもで縛る作業を行った後は、持ち運ぶための取っ手としても利用することができるので、非常に便利である。
【考案を実施するための最良の形態】
【００１２】
以下、この考案の縛り取っ手リングの実施の形態について、図面を参照して詳細に説明する。
図１は段ボール箱をこの考案の縛り取っ手リングを用いて結束用ひもで結束している状態を示す斜視図、図２は縛り取っ手リングを用いた結束段階の初期を示す拡大正面図、図３は結束段階の終わりの段階を示す拡大正面図である。
【００１３】
図１ないし図３において、この考案の縛り取っ手リングを構成する取っ手本体１１は＃８番（４．０ｍｍφ）または＃１０番（３．２ｍｍφ）等の＃１０番以上の太さを有する鋼線１２を用いて形成されている。
この取っ手本体１１は、前記太い鋼線１２をほぼ長方形に巻いて手指を挿入可能な挿入口１３を形成してあり、かつ取っ手本体１１は、外側の長辺側を太い鋼線１２を二重に形成してある。この二重の部分は溶接等によって固着しておくことが望ましい。
【００１４】
このように、取っ手本体１１のほぼ長方形の長辺側の片方の鋼線１２を二重にすることによって、二重の部分が持ち易く、持つ手に力がはいりやすい。また、ほぼ長方形の長辺側の片方を二重にしたことによって、結束用ひも２１で縛り終わったあと、二重の部分が持ち易いように少し上に傾いてくれる。
さらに、取っ手本体１１のぼ長方形の長辺側の片方の鋼線１２を溶接しているため、細い鋼線１２を使用しているにもかかわらず、充分な引っ張り強度を得ることができる。もちろん、鋼線１２の太さを＃１０番（３．２ｍｍφ）以上の太さとすることによって、充分な引っ張り強度を得ることが望ましい。
【００１５】
またこの考案の縛り取っ手リングは、上述のように前記太い鋼線１２をほぼ長方形に巻いて手指を挿入可能な挿入口１３を形成した取っ手本体１１が、長方形の挿入口１３の両側のＲ部分のＣ，Ｄを、指の太さよりひと回り大きくしてある。
そしてまた、ほぼ長方形の挿入口１３の両側に指の太さよりも大きいＲを形成したことによって、結束用ひも２１がこすれても切れにくい。
【００１６】
次に、ほぼ長方形の挿入口１３の両側に指の太さよりも大きいＲを形成したことによって、縛ったひも２１の位置が  Ｒ部分のＣ，Ｄの真ん中に定まる。即ち、梱包終了時点で、縛り取っ手リングが必ずどちらかに倒れてくれる。このため、積み重ねが可能になる。
同様に、ほぼ長方形の挿入口１３の両側に指の太さよりも大きいＲを形成したことによって、縛ったひも２１の位置が取っ手本体１１の両側のほぼ中ほど部分に定まる。すなわち、縛った部分の結び目の厚みが鋼線１２の二重部分にいかないため厚みが少なく、ダンボール箱３１を重ねて置くことができる。
【００１７】
そして、取っ手本体１１の長手方向の一方の端部には結束用ひも２１の一端を緊結するとともに、ひも２１の他端を段ボール箱３１の周囲に巻き付け、その後取っ手本体１１の長手方向の他方の端部に結束用ひも２１の他端を緊結するようにしたものである。
すなわち、取っ手本体１１の長手方向の他方の端部に結束用ひも２１の他端を緊結するに際し、ひも２１の先端を取っ手本体１１の挿入口１３に通したときに取っ手本体１１に巻き付けた二つ折りのひも２１を親指と人差し指の指先で堅く掴むことができる。
したがって、ひも２１にその先端を通せるループ２２を容易に作ることができ、該ループ２２にひも２１の先端を輪にして通して強く引っ張れば、結束用ひも２１を非常に固く縛ることができる。
【００１８】
より詳しく説明すると、取っ手本体１１に巻き付けた二つ折りのひも２１を親指と人差し指の指先で堅く掴んだ状態を保ちながら、人差し指と親指で結束用ひも２１を持ち上げるようにすると、ひも２１がピンと張っているにもかかわらず段ボール箱３１から指の厚みの分だけすきまができる。
そのピンと張っているひも２１の下のすきまにひも２１の先端を輪にして差し込む。その輪を、ピンと張っているひも２１が緩まないようにしながら、ひも２１の先端を引っ張り固定する。これで梱包が完了するのである。
なお、梱包を解除する場合は、前記結束用ひも２１の端を引っ張るだけで、簡単に結束を解除することができる。
【００１９】
前記取っ手本体１１は、開口部のないほぼ長方形の挿入口１３を形成してあるため、ひも２１でも、ロープでも、またバンドでも、ほぼ長方形の挿入口１３の中にはいりさえすれば使用することができ、またひも２１とバンドを繋いだような異種の結束具を継ぎ足しても使用することができる。
前記取っ手本体１１は、開口部のないほぼ長方形の挿入口１３を形成してあるため、結束用ひも２１を二重、三重に巻き付けることも可能になり、よりしっかりと梱包することができる。
【００２０】
仮に、前記取っ手本体１１に開口部を形成した場合、両側のフック状部分にひも２１を引っかけるのには便利だが、ひも２１を二重、三重にすると、ひも２１が縛り取っ手リングから外れてしまう可能性が大きい。
また、前記取っ手本体１１に開口部を形成した場合、もっと太い鋼線を使用しないと引っ張ったときに、前記取っ手本体１１のほぼ長方形の挿入口１３が広がってしまい、結果として結束用ひも２１が緩んでしまう。
仮に、前記取っ手本体１１に開口部を形成した場合、開口部の端部でけがをする可能性がある。
【産業上の利用可能性】
【００２１】
この考案の縛り取っ手リングはダンボール箱の結束用としてのみならず、種々の箱詰め等により梱包された被梱包物の結束用として、またそのための取っ手として便利に利用することができる。
【図面の簡単な説明】
【００２２】
【図１】段ボール箱をこの考案の縛り取っ手リングを用いて結束用ひもで結束している状態を示す斜視図である。
【図２】縛り取っ手リングを用いた結束段階の初期を示す拡大正面図である。
【図３】結束段階の終わりの段階を示す拡大正面図である。
【図４】従来の荷造り用の取っ手を示す拡大正面図である。
【符号の説明】
【００２３】
１１  取っ手本体
１２  鋼線
１３  挿入口
２１  結束用ひも
２２  ループ
３１  段ボール箱
【図１】
0003146039.tif 000003
【図２】
0003146039.tif 000004
【図３】
0003146039.tif 000005
【図４】
0003146039.tif 000006